(57)【要約】 【課題】受動アダプタに安定的なバイアス電圧をその駆動対象であるトランスデューサに印加させることを可能にする。【解決手段】供給された信号を２分流し、その一方を昇圧してトランスデューサへ供給するとともに、他方を昇圧および平滑化して得られるバイアス電圧を前記トランスデューサへ印加する受動アダプタへ前記信号を供給するアンプにおいて、信号入力部と、所定の周波数を有するバイアス用信号を生成するバイアス用信号生成部と、前記信号入力部へ入力された信号と前記バイアス用信号の和信号を生成する加算器とを有し、その加算器により生成された和信号を上記受動アダプタへ供給するアンプを提供する。【選択図】図１
2007124209.tif 000002
【特許請求の範囲】
【請求項１】
供給された信号を２分流し、その一方を昇圧してトランスデューサへ供給するとともに、他方を昇圧および平滑化して得られるバイアス電圧を前記トランスデューサへ印加する受動アダプタへ前記信号を供給するアンプにおいて、
信号入力部と、
所定の周波数を有するバイアス用信号を生成するバイアス用信号生成部と、
前記信号入力部へ入力された信号と前記バイアス用信号の和信号を生成する加算器と、
を有し、
前記加算器により生成された和信号を前記受動アダプタへ供給する
ことを特徴とするアンプ。
【請求項２】
信号入力部と、
所定の周波数を有するバイアス用信号を生成するバイアス用信号生成部と、
前記信号入力部へ入力された信号と前記バイアス用信号の和信号を生成して出力する加算器と、
前記加算器から出力された信号を２分流し、その一方を昇圧してトランスデューサへ供給するとともに、他方を昇圧および平滑化して得られるバイアス電圧を前記トランスデューサへ印加する受動アダプタと、
を有することを特徴とするトランスデューサ駆動装置。
【請求項３】
前記バイアス用信号の周波数は、前記トランスデューサの再生可能帯域外の帯域、又は、可聴帯域外の帯域に属する
ことを特徴とする請求項２に記載のトランスデューサ駆動装置。
【請求項４】
前記バイアス用信号の属する帯域を遮断しそれ以外の帯域を通過させるフィルタを、前記信号入力部と前記加算器との間に有している
ことを特徴とする請求項２に記載のトランスデューサ駆動装置。
【請求項５】
前記受動アダプタは、
前記バイアス用信号の属する帯域を通過させ、それ以外の帯域を遮断するフィルタを有し、
前記他方の和信号を前記フィルタを通過させた後に、昇圧および平滑化して前記バイアス電圧を得る
ことを特徴とする請求項２に記載のトランスデューサ駆動装置。
【請求項６】
前記受動アダプタは、
前記バイアス用信号の属する帯域を遮断しそれ以外の帯域を通過させるフィルタを有し、
前記一方の和信号を前記フィルタを通過させた後に昇圧して前記トランスデューサへ供給する
ことを特徴とする請求項２に記載のトランスデューサ駆動装置。
【発明の詳細な説明】
【技術分野】
【０００１】
本発明は、バイアス電圧を印加してトランスデューサを駆動する技術に関する。
【背景技術】
【０００２】
コンデンサスピーカ等のトランストランスデューサの中には、その駆動の際にバイアス電圧の印加を要するものがある。この種のトランスデューサの駆動制御を行うアダプタの中には、そのトランスデューサへ入力する信号（例えば、そのトランスデューサがコンデンサスピーカであれば、そのコンデンサスピーカに再生させる音声を表す音声信号）から上記バイアス電圧を生成するものがあり、その一例としては、特許文献１に開示されたアダプタが挙げられる。
この種のアダプタは、音源回路などの信号源から上記音声信号を受け取り、その音声信号を２つに分流し、その一方を駆動対象であるトランスデューサへ供給するとともに、他方をトランスによって昇圧しさらに平滑化コンデンサによって平滑化して上記バイアス電圧を得ている。ここで、トランスや平滑化コンデンサは、外部からの電力供給を要しないため、上記アダプタは外部からの電力供給を受けることなく上記バイアス電圧を生成することができる。以下、このようなアダプタを「受動アダプタ」と称する。
【特許文献１】特開２０００−１５２３６８号公報
【発明の開示】
【発明が解決しようとする課題】
【０００３】
トランスデューサへ印加されるバイアス電圧は常に安定的であることが望ましいが、上記受動アダプタにより印加されるバイアス電圧は、入力信号の信号レベルの変動に応じてその電圧値が変動してしまう。つまり、受動アダプタには、安定的なバイアス電圧を印加することが困難である、といった問題点がある。
特に、音声の再生開始時点など無音の状態から有音の状態への移行直後（図４上段参照）では充分なバイアス電圧が得られず、図４下段に示すように、トランスデューサによって再生される音声の再生レベルの立ち上がりがなまってしまう、といった問題点がある。なお、図４上段は、上記アダプタへの入力信号の信号波形を表す図であり、図４下段は、受動アダプタにより駆動制御されているトランスデューサから出力される音声の信号波形を表す図である。
本発明は上記課題に鑑みて為されたものであり、受動アダプタに安定的なバイアス電圧をその駆動対象であるトランスデューサに印加させることを可能にする技術を提供することを目的としている。
【課題を解決するための手段】
【０００４】
上記課題を解決するために、本発明は、供給された信号を２分流し、その一方を昇圧してトランスデューサへ供給するとともに、他方を昇圧および平滑化して得られるバイアス電圧を前記トランスデューサへ印加する受動アダプタへ前記信号を供給するアンプにおいて、信号入力部と、所定の周波数を有するバイアス用信号を生成するバイアス用信号生成部と、前記信号入力部へ入力された信号と前記バイアス用信号の和信号を生成する加算器と、を有し、前記加算器により生成された和信号を前記受動アダプタへ供給することを特徴とするアンプを提供する。
【０００５】
また、上記課題を解決するために、本発明は、信号入力部と、所定の周波数を有するバイアス用信号を生成するバイアス用信号生成部と、前記信号入力部へ入力された信号と前記バイアス用信号の和信号を生成して出力する加算器と、前記加算器から出力された信号を２分流し、その一方を昇圧してトランスデューサへ供給するとともに、他方を昇圧および平滑化して得られるバイアス電圧を前記トランスデューサへ印加する受動アダプタと、
を有することを特徴とするトランスデューサ駆動装置を提供する。
【０００６】
このようなアンプおよびトランスデューサ駆動装置によれば、外部から入力された信号と上記バイアス用信号との和信号が上記受動アダプタへ供給される。そして、上記受動アダプタによって、上記アンプから供給された信号（すなわち、上記和信号）が２分流され、その一方を昇圧して得られる信号が上記トランスデューサへ供給される一方、その他方を昇圧および平滑化して得られるバイアス電圧が上記トランスデューサへ印加される。
【０００７】
より好ましい態様においては、前記バイアス用信号の周波数は、前記トランスデューサの再生可能帯域外の帯域、又は、可聴帯域外の帯域に属することを特徴とすることを特徴としている。
また、別の好ましい態様においては、前記バイアス用信号の属する帯域を遮断しそれ以外の帯域を通過させるフィルタを、前記信号入力部と前記加算器との間に有していることを特徴としている。
また、別の好ましい態様においては、前記受動アダプタは、前記バイアス用信号の属する帯域を通過させ、それ以外の帯域を遮断するフィルタを有し、前記他方の和信号を前記フィルタを通過させた後に、昇圧および平滑化して前記バイアス電圧を得ることを特徴としている。
また、別の好ましい態様においては、前記受動アダプタは、前記バイアス用信号の属する帯域を遮断しそれ以外の帯域を通過させるフィルタを有し、前記一方の和信号を前記フィルタを通過させた後に昇圧して前記トランスデューサへ供給することを特徴としている。
【発明の効果】
【０００８】
本発明によれば、受動アダプタに安定的なバイアス電圧をその駆動対象であるトランスデューサに印加させることが可能になる、といった効果を奏する。
【発明を実施するための最良の形態】
【０００９】
以下、図面を参照しつつ、本発明を実施する際の最良の形態について説明する。
図１は、本発明の１実施形態に係るトランスデューサ駆動装置２０の電気的な構成を示すブロック図である。
図１にて破線で示したトランスデューサ１０は、例えばコンデンサスピーカであり、トランスデューサ駆動装置２０から音声信号およびバイアス電圧の供給を受け、その音声信号に応じた音声を出力する。
図１のトランスデューサ駆動装置２０は、音源回路（図示省略）などの信号源から入力された音声信号を増幅および昇圧してトランスデューサ１０へ供給するとともに、トランスデューサ１０にバイアス電圧を印加してその駆動制御を行うものである。図１に示すように、このトランスデューサ駆動装置２０は、アンプ２１０と、アダプタ２２０とを有している。
【００１０】
アンプ２１０は、信号入力部２１０ａ、バイアス用信号生成部２１０ｂ、加算器２１０ｃおよび増幅器２１０ｄを有している。
信号入力部２１０ａは、例えば入力端子であり、上記音源回路から入力された音声信号を加算器２１０ｃへ引渡す。
バイアス用信号生成部２１０ｂは、所定の周波数を有するバイアス用信号（本実施形態では、トランスデューサ１０の再生可能帯域よりも高い周波数を有する正弦波）を生成し加算器２１０ｃへ引渡す。
加算器２１０ｃは、信号入力部２１０ａから引渡された音声信号とバイアス用信号生成部２１０ｂから引渡されたバイアス用信号の和信号を生成し、増幅器２１０ｄへ引渡す。
そして、増幅器２１０ｄは、加算器２１０ｃから引渡された信号を図示せぬ電源から電力から供給される電力により所定の信号レベルに増幅し、アダプタ２２０へ供給する。なお、本実施形態では、加算器２１０ｃから引渡された信号を増幅器２１０ｄにより増幅してアダプタ２２０へ供給する場合について説明したが、加算器２１０ｃから引渡される信号の信号レベルが充分に高い場合には、このような増幅を行う必要はなく、係る場合は、増幅器２１０ｄは不要である。
【００１１】
一方、アダプタ２２０は、図１に示すように、例えばトランスなどの昇圧器２２０ａおよび２２０ｂと、例えば平滑化コンデンサなどの平滑化回路２２０ｃとを含んでいる。このアダプタ２２０は、アンプ２１０から引渡された信号を２つに分流し、その一方を昇圧器２２０ａにより昇圧し再生信号としてトランスデューサ１０へ供給する一方、他方を昇圧器２２０ｂによって昇圧し、さらに、平滑化回路２２０ｃによって平滑化してバイアス電圧を生成しそのバイアス電圧をトランスデューサ１０へ印加する。なお、昇圧器２２０ａや２２０ｂにより昇圧を行う際や、平滑化回路２２０ｃにより平滑化を行う際に外部からの電力供給を要しない点については前述した通りである。つまり、アダプタ２２０は、前述した受動アダプタである。
以上が本実施形態に係るトランスデューサ駆動装置２０の構成である。
【００１２】
さて、参考までに、従来のトランスデューサ駆動装置３０の構成例を図２に示す。図１と図２とを比較すれば明らかなように、本実施形態に係るトランスデューサ駆動装置２０の構成が従来のトランスデューサ駆動装置３０の構成と異なっている点は、バイアス用信号生成部２１０ｂと加算器２１０ｃとを有している点である。
このような構成としたため、本実施形態に係るトランスデューサ駆動装置２０によれば、外部から入力される音声信号と上記バイアス用信号との和信号がアダプタ２２０へ供給される。
このため、音声信号の信号レベルがゼロに近い状態であっても、上記和信号のバイアス用信号成分に基づいてバイアス電圧が生成され、安定的なバイアス電圧がトランスデューサ１０へ印加され、無音の状態から有音の状態への移行直後（図３上段参照）であっても、図３下段に示すように、トランスデューサ１０から出力される音声の立ち上がりがなまることが回避される。
なお、トランスデューサ駆動装置２０からトランスデューサ１０へ供給される再生信号には、上記バイアス用信号成分が含まれているが、上記バイアス用信号の周波数は、トランスデューサ１０の再生可能帯域外の帯域に属しているため、そのバイアス用信号成分に応じた音声がトランスデューサ１０から出力されることはない。
【００１３】
以上、本発明の１実施形態について説明したが、上記実施形態に以下に述べるような変形を加えても良いことは勿論である。
上述した実施形態では、バイアス用信号として、トランスデューサの再生可能帯域よりも高い周波数を有する信号を用いる場合について説明したが、逆に、上記再生可能帯域よりも低い周波数を有する信号を用いるようにしても良い。要は、トランスデューサ１０の再生可能帯域外の帯域に属する信号であれば良い。また、可聴帯域外の周波数帯域に属する信号（すなわち、可聴帯域よりも高い周波数の信号、または、可聴帯域よりも低い周波数の信号）を上記バイアス用信号として用いるようにしても勿論良い。このような周波数帯域に属するバイアス用信号を用いた場合には、そのバイアス用信号に応じた音声がトランスデューサから出力されることになるが、そのような音声がユーザに聞こえることはなく、ユーザの聴感に何らの影響を与えることはないからである。
【００１４】
また、バイアス用信号の属する帯域を遮断しそれ以外の帯域を通過させるフィルタを、信号入力部２１０ａと加算器２１０ｃとの間（すなわち、図１の“Ａ”の位置）を設けるようにしても良い。このようにすると、入力信号にバイアス用信号と同一の周波数成分が含まれている場合であっても、係る周波数成分は上記フィルタによって除去されるため、上記入力信号の上記周波数成分の信号レベルが変動することにより生じる影響（すなわち、バイアス電圧の不安定化）を回避することが可能になる。
【００１５】
また、バイアス用信号の属する帯域を通過させ、それ以外の帯域を遮断するフィルタを昇圧器２２０ｂの手前（すなわち、図１に示す“Ｂ”の位置）に設け、アンプ２１０から供給された信号を２分流して得られる信号の一方を上記フィルタを通過させた後に、昇圧および平滑化してバイアス電圧を得るようにしても良い。このようにすると、バイアス用信号の属する帯域とは異なる周波数帯域に属する周波数成分の変動（すなわち、入力信号の変動）によりバイアス電圧が不安定化することが回避される。
【００１６】
また、バイアス用信号の属する帯域を遮断しそれ以外の帯域を通過させるフィルタを昇圧器２２０ａの手前（図１に示す“Ｃ”の位置）に設け、アンプ２１０から引渡された信号を２分流して得られる信号の一方を上記フィルタを通過させた後に、昇圧して再生信号を生成するようにしても良い。このようにすると、トランスデューサの再生可能帯域であり、かつ、可聴帯域である帯域のうち、予め定められた帯域をバイアス用信号の周波数帯域として利用することが可能になり、バイアス用信号の周波数帯域の選択の自由度が向上する。なお、上記周波数帯域としては、例えば、楽音として一般に利用されない帯域を選択するようにすれば、ユーザの聴感に影響を与えることがないことは言うまでもない。
また、上記各フィルタの有効或いは無効を切り換える切り替え手段を設けても良いことは勿論である。
また、アンプ２１０を、増幅器２１０ｄとそれ以外の構成要素とに分けて夫々個別のハードウェアで実現するようにしても勿論良い。具体的には、増幅器２１０ｄには通常のアンプを用い、バイアス用信号生成部２１０ｂや加算器２１０ｃにはミキサまたはミキサと同等なものを用いるようにしても良い。
【図面の簡単な説明】
【００１７】
【図１】本発明の１実施形態に係るトランスデューサ駆動装置２０の電気的な構成を表すブロック図である。
【図２】従来のトランスデューサ駆動装置３０の電気的な構成を表すブロック図である。
【図３】アダプタ２２０へ入力される信号の信号波形とトランスデューサ１０から出力される音声の信号波形とを表す図である。
【図４】受動アダプタへ入力される信号の信号波形とトランスデューサから出力される音声の信号波形とを表す図である。
【符号の説明】
【００１８】
１０…トランスデューサ、２０，３０…トランスデューサ駆動装置、２１０…アンプ、２１０ａ…信号入力部、２１０ｂ…バイアス用信号生成部、２１０ｃ…加算器、２１０ｄ…増幅器、２２０…アダプタ、２２０ａ、２２０ｂ…昇圧器、２２０ｃ…平滑化回路。
【図１】
2007124209.tif 000003
【図２】
2007124209.tif 000004
【図３】
2007124209.tif 000005
【図４】
2007124209.tif 000006